(57)【特許請求の範囲】
【請求項１】
冷蔵庫本体に設けられた貯蔵室と、該貯蔵室内を区画する棚板と、該棚板で区画された空間を左右に仕切る仕切板と、該仕切板を隔てて左右にそれぞれ設置された減圧貯蔵室及び給水タンクと、前記給水タンクの後方に設けられて前記給水タンクの水を汲み上げる給水ポンプと、前記給水タンクの後方に設けられて前記減圧貯蔵室内を減圧する減圧ポンプと、を備えた冷蔵庫において、
前記給水ポンプは給水ポンプケース内に配置されて、前記減圧ポンプは減圧ポンプケース内に配置されて、
前記給水ポンプケースは中空の隆起部を形成し、前記給水ポンプは前記隆起部から外れるように配置されて、
該給水ポンプケースで前記減圧ポンプケース上方が覆われると共に、前記減圧ポンプは前記隆起部に配置されて、
前記給水ポンプケース及び前記減圧ポンプケースの幅は前記給水タンクと同等以下、かつ高さは前記減圧貯蔵室と同等以下となるように配置して、
前記減圧貯蔵室の容器底面に設けた凸部及び係止爪と、前記貯蔵室の底面に設けた凹部及び係止部と、を備え、
前記凸部及び前記凹部、前記係止爪及び前記係止部が、前記減圧貯蔵室をスライド動作させることで係合するように構成して、
前記係合するようにした後、前記仕切板は前記減圧貯蔵室のスライド動作を規制する
ことを特徴とする冷蔵庫。
【請求項２】
前記給水ポンプケース及び前記減圧ポンプケースの一方に係合爪を有し、他方に該係合爪が係合する係合孔を有することを特徴とする、請求項１記載の冷蔵庫。
【請求項３】
前記減圧ポンプは、該減圧ポンプの駆動モータ出力軸と減圧動作部とがＬ字状に接続されて、
前記給水ポンプは、該給水ポンプの駆動モータ出力軸と給水動作部とが直線的に接続されたことを特徴とする、請求項１又は２記載の冷蔵庫。
【請求項４】
前記減圧ポンプは、前記減圧ポンプケースに緩衝材を介して宙吊り状態で支持されて、前記給水ポンプは、弾力性のある出入り口パイプを介して前記給水ポンプケースに取り付けられていることを特徴とする、請求項１乃至３のいずれかに記載の冷蔵庫。
【発明の詳細な説明】
【技術分野】
【０００１】
本発明は、冷蔵庫に関する。
【背景技術】
【０００２】
従来、特許文献１に示されたものがある。特許文献１には、複数の棚板で冷蔵室内を区画して収納部が形成されて、該収納部に減圧容器を設けると共に、その減圧容器の脇の空間に給水タンク及び収納タンク、その後方に給水ポンプ，負圧ポンプ（減圧ポンプ）を設置した例が示されている。
【先行技術文献】
【特許文献】
【０００３】
【特許文献１】特開２０１１−２７２９４号公報
【発明の概要】
【発明が解決しようとする課題】
【０００４】
しかし、特許文献１の構成では、冷蔵庫の横幅が広いことから、冷蔵室の前面開口を閉塞する扉は観音開き式扉を使用している。また、減圧容器は、一方の扉（右側の扉）幅寸法に合わせた構造を採用している。すなわち、減圧容器の側方には、まだ十分なスペースが残る結果となっていた。
【０００５】
このため、減圧貯蔵容器の側方には、製氷皿へ供給する水を貯めておく給水タンクの他、デザートや卵等を収納する収納容器を設置する余裕がある。
【０００６】
一方、観音開き扉等の幅広の冷蔵庫ではなく、例えば幅寸法６２０mm以下の冷蔵庫では、上記構成とすることが困難であった。
【０００７】
幅寸法６２０mm以下の冷蔵庫の場合、冷蔵室の扉は単一の扉で構成されることが一般的である。この場合、減圧容器は長い収納食品（秋刀魚等の魚類，長ネギ等の野菜類，パックに収納された肉類）も収納することができるように、例えば幅寸法４５０mm〜４００mmとすることが考えられる。
【０００８】
すると、給水ポンプ，減圧ポンプの両者を給水タンク後方に収納するだけの空間が十分確保できず、設置が困難となる。
【０００９】
また、減圧ポンプ及び給水ポンプは充電部をもっており、それぞれケースに収納される。これにより、安全上、この充電部に使用者の手指等が触れないようにしている。また、充電部に水等がかからないようにしている。しかし、特許文献１記載の構成では、ケース寸法分、さらに設置スペースが必要となるため、コンパクトタイプの冷蔵庫において減圧容器と共に設置しようとする場合、配置が困難となる。
【００１０】
そこで本発明は、貯蔵室内に構成部品を効率的に配置して、かつ安全性及び使い勝手を向上した冷蔵庫を提供することを目的とする。
【課題を解決するための手段】
【００１１】
本発明は上記課題を解決するために、例えば特許請求の範囲に記載の構成を採用する。その一例としては、冷蔵庫本体に設けられた貯蔵室と、該貯蔵室内を区画する棚板と、該棚板で区画された空間を左右に仕切る仕切板と、該仕切板を隔てて左右にそれぞれ設置された減圧貯蔵室及び給水タンクと、前記給水タンクの後方に設けられて前記給水タンクの水を汲み上げる給水ポンプと、前記給水タンクの後方に設けられて前記減圧貯蔵室内を減圧する減圧ポンプと、を備えた冷蔵庫において、前記給水ポンプは給水ポンプケース内に配置されて、前記減圧ポンプは減圧ポンプケース内に配置されて、前記給水ポンプケースは中空の隆起部を形成し、前記給水ポンプは前記隆起部から外れるように配置されて、該給水ポンプケースで前記減圧ポンプケース上方が覆われると共に、前記減圧ポンプは前記隆起部に配置されて、前記給水ポンプケース及び前記減圧ポンプケースの幅は前記給水タンクと同等以下、かつ高さは前記減圧貯蔵室と同等以下となるように配置して、前記減圧貯蔵室の容器底面に設けた凸部及び係止爪と、前記貯蔵室の底面に設けた凹部及び係止部と、を備え、前記凸部及び前記凹部、前記係止爪及び前記係止部が、前記減圧貯蔵室をスライド動作させることで係合するように構成して、前記係合するようにした後、前記仕切板は前記減圧貯蔵室のスライド動作を規制する。
【発明の効果】
【００１２】
本発明によれば、貯蔵室内に構成部品を効率的に配置して、安全性と使い勝手を向上した冷蔵庫を提供することができる。
【図面の簡単な説明】
【００１３】
【図１】本発明の一実施例における冷蔵庫の扉を除いた状態の正面図である。
【図２】図１の冷蔵庫の冷蔵室内を示す横断面図である。
【図３】給水タンク周囲の正面図である。
【図４】給水ポンプケース及び減圧ポンプケース周囲の縦断面図である。
【図５】減圧ポンプ支持構造を説明する要部断面図である。
【図６】減圧ポンプを説明する斜視図である。
【図７】給水ポンプを説明する斜視図である。
【図８】図２のＢ−Ｂ断面図である。
【図９】図２のＣ−Ｃ断面図である。
【図１０】貯蔵容器をスライド固定する動作説明図である。
【図１１】図１０の貯蔵容器をスライド固定した状態説明図である。
【発明を実施するための形態】
【００１４】
以下本発明の一実施形態について、図に基づいて説明する。図１は、本発明の一実施例における冷蔵庫の扉を除いた状態の正面図である。図２は、図１の冷蔵庫の冷蔵室内を示す横断面図である。
【００１５】
まず、図１において、１は冷蔵庫本体である。冷蔵庫本体１は、幅寸法が６２０mm以下で冷蔵室２の内幅寸法Ｗが５５０mm程度に構成されている。そして、このＷ：５５０mm寸法は、後述する給水タンク９の幅寸法８５mmと、仕切り板１０の厚み寸法２０mmと、真空チルドケース（減圧貯蔵容器８）の幅寸法４３０mmでほぼ全幅が埋められている。
【００１６】
また、冷蔵庫本体１は、上から順に冷蔵室２，冷凍室３，野菜室４等を備えている。５は棚板であり、冷蔵室２内を数枚の棚板５で、略等間隔の収納部６として区画している。なお、最下段に配置される棚板５ａは、冷蔵室２と冷凍室３とを区画する断熱仕切り壁７の上方に設置されている。すなわち、棚板５ａは、冷蔵室底壁２ａから所定高さ位置に配置して最下段収納部６ａを形成している。
【００１７】
なお、冷蔵室２，冷凍室３，野菜室４の配置は、上述の構成に限定されるものではなく、上から順に冷蔵室２，野菜室４，冷凍室３のように配置してもよい。
【００１８】
最下段収納部６ａには、減圧貯蔵容器８と給水タンク９とが併設され、この二つの構成部品で冷蔵室２の内幅寸法Ｗ（５５０mm）がほぼ占められている。
【００１９】
１０は仕切り板である。この仕切り板１０は減圧貯蔵容器８と給水タンク９間を区画するための仕切りであり、減圧貯蔵容器８を棚板５ａに組み付けた後、左右方向の動きを規制する役目も果たしている。
【００２０】
ここで、減圧貯蔵容器８についてさらに説明する。図２に示す減圧貯蔵容器８は耐圧構造であり、内部を例えば０.８気圧程度に減圧した場合、内容積の変化が抑制される。また、減圧貯蔵容器８は減圧ポンプ１１（後述する）に接続されている。すなわち、減圧ポンプ１１によって減圧貯蔵容器８内の空気が吸引されるものである。なお、減圧貯蔵容器８内の減圧動作は、外気の出入りを遮断又は抑制した密閉空間の状態で行われる。
【００２１】
また、減圧貯蔵容器８に備えた逆止弁（図示せず）により、減圧貯蔵容器８内の空気が減圧貯蔵容器８外に排出されて減圧解除される。
【００２２】
更に、減圧貯蔵容器８内の温度は通常０℃〜３℃に保持され、チルド食品等が多く貯蔵される。なお、貯蔵温度帯はこれに限るものではなく、貯蔵食品に応じた適温に切り替え可能な構成であってもよい。
【００２３】
一方、給水タンク９は自動製氷装置の製氷用の水を貯めておくタンクで、通常内容積は１.０Ｌ〜１.５Ｌが入る程度の大きさである。
【００２４】
また、この給水タンク９内の水は給水ポンプ１２等によって汲み上げられて、冷凍室３内に設置された製氷皿（図示せず）に注水される。最下段収納部６ａの高さ寸法及び給水タンク９の幅寸法は、種々の制約で決定されるため、内容積を確保するためには奥行き寸法が重要となる。
【００２５】
給水タンク９は、冷蔵室２の奥行き寸法Ｄ1（図２参照）内に、給水タンク９と給水ポンプケース２２とが奥行き寸法Ｄ1を分けるように設置されている。すなわち、Ｄ1寸法を略３００mmとした場合、給水タンク９が１５０mmとなり、給水ポンプケース２２側のＤ2寸法は略１３０mmとなる。
【００２６】
減圧貯蔵容器８内を減圧するために、本実施例においては、減圧ポンプ１１を必要とする。以下、減圧ポンプ１１，給水ポンプ１２の設置構造等について、図３〜図７を参照して説明する。
【００２７】
図３は、給水タンク周囲の正面図である。図４は、給水ポンプケース及び減圧ポンプケース周囲の縦断面図である。図５は、減圧ポンプ支持構造を説明する要部断面図である。図６は、減圧ポンプを説明する斜視図である。図７は、給水ポンプを説明する斜視図である。
【００２８】
図中、１１は減圧ポンプである。この減圧ポンプ１１は図６にも示す如く、減圧ポンプモータ出力軸１４と減圧ポンプ部１５の減圧動作部１６とが直行する形で接続されたものである。すなわち、その形は略Ｌ字状をなしており、特にダイヤフラム（図示せず）を含む減圧ポンプ部１５は減圧ポンプモータ１３より上方に位置している。
【００２９】
１７は減圧ポンプモータ充電部（給電端子）である。減圧ポンプモータ充電部１７を含む減圧ポンプモータ１３は、ケース等で覆われていない。また、１８は減圧貯蔵容器８内の減圧状態を検出する圧力スイッチ充電部（給電端子）である。この圧力スイッチ充電部１８も同様に露出している。
【００３０】
次に、１２は給水ポンプである。この給水ポンプ１２は図７には示されていないが、給水ポンプモータ出力軸と給水動作部２０とが、直線的に隣接して接続されたもので、縦長形状を有している。
【００３１】
また、この給水ポンプモータ１９の充電部（図示せず）は、水を汲み上げる都合上、モールド化されて耐水性が保護されている。
【００３２】
本実施例の給水ポンプケース２２（図４等参照）は、減圧ポンプ１１，給水ポンプ１２を設置することを考慮した形状である。給水ポンプケース２２は、給水タンク９の高さ及び幅寸法に合わせるようにしたものである。
【００３３】
以下その具体的構造を図３，図４を用いて説明する。給水タンク９は、減圧貯蔵容器８の脇に仕切り板１０を介して設置され、通常１.５Ｌ位の水を収納している。
【００３４】
従って、給水タンク９の大きさは、例えば幅寸法が７０mm，高さ１３０mm（最下段収納部６ａの高さ以内），奥行き１５０mmである。そして、給水タンク９は前後にスライドするよう冷蔵室底壁２ａ上に載置されている。給水タンク９に給水する場合、ハンドル９ｂを持って矢印方向（冷蔵室２の扉側）に引き出すものである。
【００３５】
この時、給水タンク９側のパイプ９ａの一端が、給水ポンプ１２側の受部２５より外れ両者の結合関係が解除される。なお、通常は水密的に結合されているものである。また、給水タンク９側のパイプ９ａの他端は、図には示してないが給水タンク９内に挿入され給水ポンプ１２の駆動により給水タンク９内の水を製氷皿（図示せず）側に汲み出すものである。
【００３６】
また、冷蔵室底壁２ａ上には、減圧ポンプケース２１を配置するもので、減圧ポンプケース２１の前部に給水タンク設置部２１ｃ、後部に減圧ポンプ収納部２１ｂを有している。
【００３７】
この減圧ポンプ収納部２１ｂは、減圧ポンプモータ１３全体を覆う深さを有する。従って、この減圧ポンプ収納部２１ｂの深さは、減圧ポンプモータ１３を収納する深さに形成された上部開口を形成した容器形状である。
【００３８】
２２は給水ポンプケースで、減圧ポンプケース２１内に減圧ポンプ１１を収納した状態で、減圧ポンプケース２１上部開口を覆う大きさである。
【００３９】
この給水ポンプケース２２は、内部が中空となる隆起部２２ａを有する（図４参照）。この隆起部２２ａ内には、減圧ポンプ１１の背の高い減圧ポンプ部１５が収納されるように構成されている。
【００４０】
換言すると、減圧ポンプモータ１３と給水ポンプ１２を重ねた寸法と、減圧ポンプ１１と後述する注水パイプ２６を重ねた寸法とを、同等程度になるように配置して、最下段収納部６ａへの収納を可能としたものである。
【００４１】
また、この減圧ポンプケース２１は給水タンク９を正面から見た場合の投影面内にあり、減圧ポンプケース２１を覆う給水ポンプケース２２も、給水タンク９を正面から見た場合の投影面内に設けられている。
【００４２】
２３は給水タンク９側の水を給水ポンプ１２内に取り込む給水パイプであり、受部２５に接続されている。
【００４３】
また、この給水パイプ２３は隆起部２２ａ上に設けられた支持手段であるリブ２４に支持されている。換言すると、給水パイプ２３が減圧ポンプ部１５の上方に位置し、給水ポンプ１２の本体は減圧ポンプ１１の減圧ポンプモータ１３の上方に位置している。このことにより、給水ポンプ１２の上面と給水パイプ２３は高さ方向で、略同一平面上に位置し、給水タンク９の上面に倣うようにしている。
【００４４】
更に、減圧ポンプ１１と給水ポンプ１２を二段積みに設置する構成とすることにより、減圧ポンプ１１の充電部（減圧ポンプモータ充電部１７，圧力スイッチ充電部１８）は、給水ポンプケース２２より完全に外部と遮断される。
【００４５】
また、給水ポンプケース２２及び減圧ポンプケース２１は樹脂製で、両ケース（減圧ポンプケース２１，給水ポンプケース２２）の固定手段は給水ポンプケース２２側に設けた係合爪２２ｂが減圧ポンプケース２１側に設けた係合孔２１ａに係止することにより、樹脂材の弾性を利用して工具なしで外せない構造とされている。
【００４６】
これにより、使用者が給水タンク９を取り外し、給水ポンプ１２側に手を入れても、使用者の手指が充電部（減圧ポンプモータ充電部１７，圧力スイッチ充電部１８）に触れることがなく安全性が高い。また、充電部が水等に触れることもない信頼性の高い冷蔵庫が得られるものである。
【００４７】
２６は注水パイプであり、給水ポンプ１２を経由した水を製氷皿（図示せず）側に注水する。注水パイプ２６と給水パイプ２３は、弾力性のある樹脂パイプで、この樹脂パイプが給水ポンプケース２２に図に示す如く懸架されることにより、給水ポンプ１２は支持される。これにより、給水ポンプ１２駆動時の振動は樹脂製のパイプによって吸振される。
【００４８】
次に、図５において、２７は緩衝体である。この緩衝体２７は減圧ポンプケース２１に減圧ポンプモータ１３を宙吊り状態に支持する。
【００４９】
この構造を採用することにより、減圧ポンプ１１の振動が減圧ポンプケース２１に全面的に伝わり、冷蔵庫全体として、振動，騒音レベルを低減することができる。
【００５０】
次に図８〜図１１をもって、棚板５に減圧貯蔵容器８を取り付ける具体的構造について説明する。図８は、図２のＢ−Ｂ断面図である。図９は、図２のＣ−Ｃ断面図である。図１０は貯蔵容器をスライド固定する動作説明図である。図１１は、図１０の貯蔵容器をスライド固定した状態説明図である。
【００５１】
図において、２８は冷蔵室底壁２ａの後方に設けられた凹部である。この凹部２８は、冷蔵室底壁２ａを例えば５mm程度窪ませて形成したもので、冷蔵室底壁２ａの後方に帯状に形成されている。２９は冷蔵室底壁２ａの前方２箇所に設けられた係止部である。
【００５２】
３０は減圧貯蔵容器８の底面に設けられた円筒状の凸部である。この凸部３０は減圧貯蔵容器８の底面に２箇所Ｌ2寸法を確保して設けられている。
【００５３】
また、この凸部３０の外形は先の凹部２８の幅寸法Ｌ1（図２に図示）より少し小さく作られ凸部３０が凹部２８に入った時、図１０にも示す如く凹部２８内をスライドし、図１１に示す位置に移動するよう構成されている。
【００５４】
３１は係止爪、この係止爪３１は減圧貯蔵容器８の底面にＬ2寸法の間隔を持って設けられている。そして、この係止爪３１は係止部２９に図９にも示す如く係合することにより減圧貯蔵容器８の上方への移動を阻止する役目を果たす。
【００５５】
かかる構成を有する減圧貯蔵容器８を冷蔵室底壁２ａに取り付け固定するときには、次のようにして行われる。
【００５６】
なお、冷蔵室底壁２ａへの減圧貯蔵容器８取り付け段階では仕切り板１０は図１０に示す如く取り付けられてなく最後に組み込まれる。
【００５７】
次にこれを図１０で説明する。まず、減圧貯蔵容器８を先に説明した給水ポンプケース２２をガイド役として最下段収納部６ａ内に減圧貯蔵容器８を差込み（図１０の実線の位置）、次いで、凸部３０を冷蔵室底壁２ａ側の凹部２８に合わせ減圧貯蔵容器８を冷蔵室底壁２ａ側に落とす（図１０の破線のように）、次に該減圧貯蔵容器８を図１０中の矢印Ｐ側にスライド移動させ図１１の位置にする。この時点で係止爪３１は冷蔵室底壁２ａ側の係止部２９に図１１にも示す如く係合する。
【００５８】
これで、減圧貯蔵容器８の前後方向は凸部３０と凹部２８の係合関係で拘束され、上下の動きは係止爪３１が係止部２９に係合することにより規制される。
【００５９】
そして、図１０の反矢印Ｐ方向の動きは仕切り板１０の取り付けにより図９の如く規制する構造である。
【００６０】
また、上記減圧貯蔵容器８は上記仕切り板１０が取り付けられるスペースを利用して最下段収納部６ａへの差込み動作を可能としているものである。
【００６１】
なお、冷蔵室底壁２ａに直接、減圧貯蔵容器８を設置する構成に限らず、冷蔵室底壁２ａ上に減圧貯蔵容器８設置用の棚板を設けて、これに減圧貯蔵容器８を設置する構成であってもよい。
【００６２】
本実施例は以上説明した如き構成を有するものであるから、次の効果が得られるものである。
【００６３】
すなわち、冷蔵庫本体に設けられた貯蔵室と、該貯蔵室内を区画する棚板と、該棚板で区画された空間を左右に仕切る仕切板と、該仕切板を隔てて左右にそれぞれ設置された減圧貯蔵室及び給水タンクと、前記給水タンクの後方に設けられて前記給水タンクの水を汲み上げる給水ポンプと、前記給水タンクの後方に設けられて前記減圧貯蔵室内を減圧する減圧ポンプと、を備えた冷蔵庫において、前記給水ポンプは給水ポンプケース内に配置されて、前記減圧ポンプは減圧ポンプケース内に配置されて、前記給水ポンプケースは中空の隆起部を形成し、前記給水ポンプは前記隆起部から外れるように配置されて、該給水ポンプケースで前記減圧ポンプケース上方が覆われると共に、前記減圧ポンプは前記隆起部に配置されて、前記給水ポンプケース及び前記減圧ポンプケースの幅は前記給水タンクと同等以下、かつ高さは前記減圧貯蔵室と同等以下となるように配置した。
【００６４】
このことにより、冷蔵室内の幅一杯に減圧貯蔵室と給水タンクが設置される冷蔵庫であっても、減圧貯蔵室を最大限大きくしても給水ポンプと減圧ポンプの収納が可能となる他、簡単且つ安価な構造で、信頼性の高い冷蔵庫が得られるものである。
【００６５】
また、減圧貯蔵室の容器底面に設けた凸部及び係止爪と、前記貯蔵室の底面に設けた凹部及び係止部と、を備え、前記凸部及び前記凹部、前記係止爪及び前記係止部が、前記減圧貯蔵室をスライド動作させることで係合するように構成して、前記係合するようにした後、前記仕切板は前記減圧貯蔵室のスライド動作を規制する。
【００６６】
このことにより、減圧貯蔵室の容器の取り付けに特別な固定部品等を使用することなく、簡単且つ容易に減圧貯蔵容器を固定することができる。
【００６７】
また、前記給水ポンプケース及び前記減圧ポンプケースの一方に係合爪を有し、他方に該係合爪が係合する係合孔を有する。
【００６８】
このことにより、サービスマンが減圧ポンプ等のサービス時には工具等を使い、該ケースの係止関係を外し、減圧ポンプ等を取り出し、サービス等に供することができる。
【００６９】
また、前記減圧ポンプは、該減圧ポンプの駆動モータ出力軸と減圧動作部とがＬ字状に接続されて、前記給水ポンプは、該給水ポンプの駆動モータ出力軸と給水動作部とが直線的に接続された。
【００７０】
このことにより、両ポンプを組み合わせてポンプケース内への収納を可能とし、給水タンクの高さ及び幅寸法に合わせることができる。
【００７１】
また、前記減圧ポンプは、前記減圧ポンプケースに緩衝材を介して宙吊り状態で支持されて、前記給水ポンプは、弾力性のある出入り口パイプを介して前記給水ポンプケースに取り付けられている。
【００７２】
このことにより、減圧ポンプが出す振動，騒音がポンプケースに全面的に伝わり、冷蔵庫全体としての騒音レベルを大幅に押し上げることがないものである。
【符号の説明】
【００７３】
１  冷蔵庫本体
２  冷蔵室（貯蔵室）
２ａ  冷蔵室底壁
３  冷凍室
４  野菜室
５，５ａ  棚板
６  収納部
６ａ  最下段収納部
７  断熱仕切り壁
８  減圧貯蔵容器
９  給水タンク
９ａ  パイプ
９ｂ  ハンドル
１０  仕切り板
１１  減圧ポンプ
１２  給水ポンプ
１３  減圧ポンプモータ
１４  減圧ポンプモータ出力軸
１５  減圧ポンプ部
１６  減圧動作部
１７  減圧ポンプモータ充電部
１８  圧力スイッチ充電部
１９  給水ポンプモータ
２０  給水動作部
２１  減圧ポンプケース
２１ａ  係合孔
２１ｂ  減圧ポンプ収納部
２１ｃ  給水タンク設置部
２２  給水ポンプケース
２２ａ  隆起部
２２ｂ  係合爪
２３  給水パイプ
２４  リブ（支持手段）
２５  受部
２６  注水パイプ
２７  緩衝体
２８  凹部
２９  係止部
３０  凸部
３１  係止爪
【図１】
0005639953.tif 000002
【図２】
0005639953.tif 000003
【図３】
0005639953.tif 000004
【図４】
0005639953.tif 000005
【図５】
0005639953.tif 000006
【図６】
0005639953.tif 000007
【図７】
0005639953.tif 000008
【図８】
0005639953.tif 000009
【図９】
0005639953.tif 000010
【図１０】
0005639953.tif 000011
【図１１】
0005639953.tif 000012